(57)【要約】【課題】利用者が長辺綴じ及び短辺綴じの設定について誤操作を行った場合においても、再製版による孔版原紙の無駄を少なくする。【解決手段】印刷用紙Ｗの表面を印刷するための表面画像データを記憶する表面画像データ記憶部１２ａと、印刷用紙Ｗの裏面を印刷するための裏面画像データを記憶する裏面画像データ記憶部１２ｂと、表面画像データに基づいて第１のドラム４１に巻き付けるための第１の孔版原紙を製版すると共に、裏面画像データに基づいて第２のドラム５１に巻き付けるための第２の孔版原紙を製版する製版部６と、利用者の操作に基づいて長辺綴じ又は短辺綴じの切り替えが要求された場合に、裏面画像データ記憶部１２ｂに記憶された裏面画像データの天地を反転させる画像反転部２０ｃと、反転された裏面画像データに基づいて、製版部６に、第２の孔版原紙を製版させる製版処理部２０ｂとを備える。【選択図】図２
2010110981.tif 000002
【特許請求の範囲】
【請求項１】
印刷媒体を第１のドラムに圧接して前記印刷媒体の一方の面を印刷すると共に、この一方の面が印刷された印刷媒体の表裏を反転させた後、反転された印刷媒体を第２のドラムに圧接して前記印刷媒体の他方の面を印刷することにより、前記印刷媒体の両面印刷を行う両面孔版印刷装置であって、
前記印刷媒体の一方の面を印刷するための第１の画像データを記憶する第１の画像データ記憶手段と、
前記印刷媒体の他方の面を印刷するための第２の画像データを記憶する第２の画像データ記憶手段と、
前記第１の画像データに基づいて前記第１のドラムに巻き付けるための第１の孔版原紙を製版すると共に、前記第２の画像データに基づいて前記第２のドラムに巻き付けるための第２の孔版原紙を製版する製版手段と、
利用者の操作に基づいて長辺綴じ又は短辺綴じの切り替えが要求された場合に、前記第１の画像データ記憶手段又は前記第２の画像データ記憶手段にそれぞれ記憶された第１の画像データ又は第２の画像データのどちらか一方の天地を反転させる画像反転手段と、
前記画像反転手段により天地が反転させた場合に、前記反転された第１の画像データ又は第２の画像データに基づいて、前記製版手段に、前記第２の孔版原紙を製版させる製版処理手段と、
を備えることを特徴とする両面孔版印刷装置。
【請求項２】
前記画像反転手段は、
前記利用者の操作に基づいて設定された印刷枚数分の前記印刷媒体の前記両面印刷が行われた後であって、利用者の操作に基づいて長辺綴じ又は短辺綴じの切り替えが要求された場合に、前記第１の画像データ記憶手段又は前記第２の画像データ記憶手段にそれぞれ記憶された第１の画像データ又は第２の画像データのどちらか一方の天地を反転させる
ことを特徴とする請求項１記載の両面孔版印刷装置。
【請求項３】
前記製版手段により、前記第１の孔版原紙及び前記第２の孔版原紙が製版された後に、試し刷りとして少なくとも１枚の前記印刷媒体の前記両面印刷を行うファーストプリント制御手段、を更に備え、
前記画像反転手段は、
前記ファーストプリント制御手段により両面印刷が行われた後であって、利用者の操作に基づいて長辺綴じ又は短辺綴じの切り替えが要求された場合に、前記第１の画像データ記憶手段又は前記第２の画像データ記憶手段にそれぞれ記憶された第１の画像データ又は第２の画像データのどちらか一方の天地を反転させる
ことを特徴とする請求項１記載の両面孔版印刷装置。
【発明の詳細な説明】
【技術分野】
【０００１】
本発明は印刷媒体の両面印刷が可能な両面孔版印刷装置に係り、特に、利用者が長辺綴じ及び短辺綴じの設定について誤操作を行った場合においても、孔版を無駄にすることなく、両面印刷を行うことができる両面孔版印刷装置に関する。
【背景技術】
【０００２】
一般的に、製版された孔版原紙をドラムに巻き付けた後、印刷用紙をこのドラムに給紙し、この供給された印刷用紙をプレスローラによりドラムに圧接することにより印刷を行う孔版印刷装置が良く知られている。
【０００３】
また、特許文献１には、印刷用紙の両面印刷が可能な両面孔版印刷装置が提案されている。具体的には、第１の画像に基づいて製版された第１の孔版原紙を第１のドラムに巻き付けると共に、第２の画像に基づいて製版された第２の孔版原紙を第２のドラムに巻き付ける。そして、印刷用紙をこの第１のドラムに給紙し、印刷用紙を第１のプレスローラにより第１のドラムに圧接することで第１の画像を印刷用紙の表面に転写する。更に、この転写された印刷用紙の表裏を反転させた後、第２のドラムへ搬送し、印刷用紙を第２のプレスローラにより第２のドラムに圧接することで第２の画像を印刷用紙の裏面に転写する両面孔版印刷装置が提案されている。
【０００４】
また、一般的な両面印刷装置では、利用者の操作により、長辺綴じ又は短辺綴じ等の印刷用紙の仕上がり状態を設定するものもある。
【０００５】
特許文献２には、同一の書類内に複数の用紙サイズの指定が混在した印字ジョブに対して、短辺綴じ両面モード又は長辺綴じ両面モードのどちらか一方のみを指定する場合において、用紙サイズに応じた両面モードで両面印刷を行う両面印刷装置が提案されている。
【特許文献１】特開２００８−１４２９９４号公報
【特許文献２】特開平１１−３５２８３０号公報
【発明の開示】
【発明が解決しようとする課題】
【０００６】
しかしながら、特許文献２に記載の両面印刷装置の技術を、特許文献１に記載の両面孔版印刷装置に適用したとしても、利用者が長辺綴じ及び短辺綴じの設定について誤操作を行った場合、再び第１の画像及び第２の画像の読取り動作を行い、第１の孔版原紙及び第２の孔版原紙を再製版し、再度、両面印刷を行う必要があるので、孔版原紙を無駄にする場合があった。
【０００７】
本発明は、上記課題に鑑みてなされたものであり、利用者が長辺綴じ及び短辺綴じの設定について誤操作を行った場合においても、再製版による孔版原紙の無駄を少なくする両面孔版印刷装置を提供することを目的とする。
【課題を解決するための手段】
【０００８】
上記目的を達成するため、本発明に係る両面孔版印刷装置の第１の特徴は、印刷媒体を第１のドラムに圧接して前記印刷媒体の一方の面を印刷すると共に、この一方の面が印刷された印刷媒体の表裏を反転させた後、反転された印刷媒体を第２のドラムに圧接して前記印刷媒体の他方の面を印刷することにより、前記印刷媒体の両面印刷を行う両面孔版印刷装置であって、前記印刷媒体の一方の面を印刷するための第１の画像データを記憶する第１の画像データ記憶手段と、前記印刷媒体の他方の面を印刷するための第２の画像データを記憶する第２の画像データ記憶手段と、前記第１の画像データに基づいて前記第１のドラムに巻き付けるための第１の孔版原紙を製版すると共に、前記第２の画像データに基づいて前記第２のドラムに巻き付けるための第２の孔版原紙を製版する製版手段と、利用者の操作に基づいて長辺綴じ又は短辺綴じの切り替えが要求された場合に、前記第１の画像データ記憶手段又は前記第２の画像データ記憶手段にそれぞれ記憶された第１の画像データ又は第２の画像データのどちらか一方の天地を反転させる画像反転手段と、前記画像反転手段により天地が反転させた場合に、前記反転された第１の画像データ又は第２の画像データに基づいて、前記製版手段に、前記第２の孔版原紙を製版させる製版処理手段とを備えることにある。
【０００９】
上記目的を達成するため、本発明に係る両面孔版印刷装置の第２の特徴は、前記画像反転手段は、前記利用者の操作に基づいて設定された印刷枚数分の前記印刷媒体の前記両面印刷が行われた後であって、利用者の操作に基づいて長辺綴じ又は短辺綴じの切り替えが要求された場合に、前記第１の画像データ記憶手段又は前記第２の画像データ記憶手段にそれぞれ記憶された第１の画像データ又は第２の画像データのどちらか一方の天地を反転させることにある。
【００１０】
上記目的を達成するため、本発明に係る両面孔版印刷装置の第３の特徴は、前記製版手段により、前記第１の孔版原紙及び前記第２の孔版原紙が製版された後に、試し刷りとして少なくとも１枚の前記印刷媒体の前記両面印刷を行うファーストプリント制御手段、を更に備え、前記画像反転手段は、前記ファーストプリント制御手段により両面印刷が行われた後であって、利用者の操作に基づいて長辺綴じ又は短辺綴じの切り替えが要求された場合に、前記第１の画像データ記憶手段又は前記第２の画像データ記憶手段にそれぞれ記憶された第１の画像データ又は第２の画像データのどちらか一方の天地を反転させることにある。
【発明の効果】
【００１１】
本発明に係る両面孔版印刷装置によれば、利用者が長辺綴じ及び短辺綴じの設定について誤操作を行った場合においても、再製版による孔版原紙の無駄を少なくすることができる。
【発明を実施するための最良の形態】
【００１２】
本発明を実施するための最良の形態について以下に説明する。
【実施例１】
【００１３】
本発明の実施例１では、上流側のドラムにより印刷用紙（印刷媒体）の表面を印刷し、下流側のドラムにより印刷用紙の裏面を印刷する２ドラム式の両面孔版印刷装置であって、利用者が長辺綴じ及び短辺綴じの設定について誤操作を行った場合、印刷終了後に、再度画像読み込みを行うことなく、下流側のドラムに巻き付ける孔版原紙のみを再製版する両面孔版印刷装置を例に挙げて説明する。
【００１４】
＜両面孔版印刷装置の構成＞
本発明の実施例１である両面孔版印刷装置の構成について説明する。
【００１５】
図１は、本発明の実施例１である両面孔版印刷装置の構成を示した構成図である。
【００１６】
図１に示すように、両面孔版印刷装置１は、原稿読み取り部２と、給紙部３と、第１の印刷部４と、第２の印刷部５と、製版部６と、第１の排版部８と、第２の排版部９と、反転部１０と、排紙部１１とを備えている。
【００１７】
原稿読み取り部２は、両面孔版印刷装置１の上部に設けられ、図示しないが、原稿を載置するコンタクトガラス、このコンタクトガラスに対して接離自在に設けられたカバー、コンタクトガラス上に載置された原稿を走査する走査ユニット、走査された画像を集束するレンズ、及び集束された画像を処理する画像処理部を備えている。
【００１８】
そして、原稿読み取り部２は、走査ユニットが原稿を走査し、画像処理部が走査された画像を処理することにより、後述する第１の印刷部４が印刷するための表面の画像データ、及び後述する第２の印刷部５が印刷するための表面の画像データを読み取る。
【００１９】
製版部６は、ロールされた長尺状の孔版原紙Ｇを収容する原紙収容部６１と、この原紙収容部６１の搬送下流に配置されたサーマルヘッド６２と、このサーマルヘッド６２の対向位置に配置されたプラテンロール６３と、このプラテンロール６３及びサーマルヘッド６２の搬送下流に配置された一対の原紙送りロール６４と、一対の原紙送りロール６４の搬送下流に配置された原紙カッタ６５とを有する。
【００２０】
そして、製版部６は、プラテンロール６３と原紙送りロール６４の回転により長尺状の孔版原紙Ｇを搬送し、原稿読み取り部２により読み取られた表面又は裏面の画像データに基づき、サーマルヘッド６２の各点状発熱体が選択的に発熱動作することにより孔版原紙Ｇに感熱穿孔して製版し、この製版された孔版原紙Ｇを原紙カッタ６５で切断して所定長さの孔版原紙Ｇを作製する。
【００２１】
また、製版部６は、図示しないレールによって図１におけるＸ方向に移動自在に支持されている。製版部６は、図示しない製版部駆動部によりレール上を移動することにより、後述する第１の印刷部４に製版した孔版原紙Ｇを供給する破線で示した位置と、後述する第２の印刷部５に製版した孔版原紙Ｇを供給する実線で示した位置とを選択的に占める。
【００２２】
第１の排版部８は、後述する第１の印刷部４の第１のドラム４１の外周面よりクランプ解除された孔版原紙Ｇを第１のドラム４１より引き剥がし、引き剥がされた孔版原紙Ｇを排版ボックス（図示しない）内に収納する。
【００２３】
第２の排版部９は、第１の排版部８と同様に、後述する第２の印刷部５の第２のドラム５１の外周面よりクランプ解除された孔版原紙Ｇを第２のドラム５１より引き剥がし、引き剥がされた孔版原紙Ｇを排版ボックス（図示しない）内に収納する。
【００２４】
給紙部３は、印刷用紙Ｗが積層される給紙台３１と、この給紙台３１から最上位置の印刷用紙Ｗのみを搬送させる１次給紙ロール３２と、この１次給紙ロール３２によって搬送された印刷用紙Ｗを後述する第１の印刷部４の第１のドラム４１の回転に同期して第１のドラム４１と第１のプレスローラ４３間に搬送する一対の２次給紙ロール３３とを有する。
【００２５】
第１の印刷部４は、メインモータ（図示しない）の駆動力によって図１の矢印Ａ方向に回転する第１のドラム４１と、この第１のドラム４１の外周面に設けられ、孔版原紙Ｇ１の先端をクランプする原紙クランプ部４２と、印刷用紙Ｗを反転部１０へ搬送する搬送ベルト４４とを備えている。
【００２６】
また、第１の印刷部４は、第１のドラム４１の下方位置に配置された第１のプレスローラ４３を有し、この第１のプレスローラ４３は第１のドラム４１の外周面に押圧する押圧位置と、第１のドラム４１の外周面から離間する待機位置との間で変移可能に構成されている。第１のプレスローラ４３は、印刷モードの期間（後述するファーストプリントを含む）にあっては押圧位置に常時位置され、印刷モード以外の期間にあっては待機位置に位置されるようになっている。第１のプレスローラ４３は、給紙部３からの給紙動作に同期して待機位置から押圧位置に変移され、印刷用紙Ｗが第１のドラム４１の下部を通過する際のみ押圧位置に位置され、それ以外の時には待機位置に位置されるようになっている。
【００２７】
そして、製版部６から搬送される孔版原紙Ｇの先端を原紙クランプ部４２でクランプし、このクランプした状態で第１のドラム４１が回転されて孔版原紙Ｇが第１のドラム４１の外周面に巻き付け装着される。そして、第１のドラム４１の回転に同期して給紙部３より給紙される印刷用紙Ｗを第１のプレスローラ４３で第１のドラム４１に巻装された孔版原紙Ｇに押圧することによって、孔版原紙Ｇの穿孔からインクが転写されて画像が印刷装置Ｗの表面に印刷されるようになっている。
【００２８】
第１のプレスローラ４３が第１のドラム４１に押圧することによって表面に画像が印刷された印刷用紙Ｗは、両端が一対の回転軸に巻きかけられた環状の搬送ベルト４４によって反転部１０に搬送される。
【００２９】
反転部１０は、第１の印刷部４に対して印刷用紙Ｗの搬送方向下流側に配置され、多孔構造に形成された環状の反転ベルト１０１が半円形状に配置されている。この反転ベルト１０１は、半円形状の補助部材１０２と一対のローラ１０３，１０４に巻きかけられ、一対のローラ１０３，１０４のうち少なくとも一方のローラが駆動モータ（不図示）で回転駆動される。また、反転ベルト１０１の内部には、吸引部１０５が設けられ、印刷用紙Ｗを反転ベルト１０１側に吸引する。反転ベルト１０１の上方に搬送された印刷用紙Ｗの印刷されていない他方の面を吸引して反転ベルト１０１を下方に向けて回転させることにより、印刷用紙Ｗの印刷された表面と印刷されていない裏面とを反転させ、この印刷用紙Ｗが反転された状態で積載台１０６に印刷用紙Ｗを搬送する。
【００３０】
積載台１０６には、表面と裏面とが反転された印刷用紙Ｗが積載される。
【００３１】
また、この積載台１０６は、複数枚の印刷用紙Ｗを積載できるようになっており、第１の印刷部４で表面に印刷された印刷用紙Ｗを積載台１０６に積載させて一時的に滞留させることでインクの乾燥時間を確保している。また、積載台１０６に所定枚数の印刷用紙Ｗが積載されると、積載された印刷用紙Ｗは、両端が一対の回転軸に巻きかけられた環状の中間搬送ベルト１０７によって搬送される。
【００３２】
中間搬送ベルト１０７は、多孔構造に形成され、内部に設けられた吸引手段１０８によって積載台１０６の最も下側に存在しているものから順に１枚ずつ吸引して印刷用紙Ｗを搬送する。また、搬送された印刷用紙Ｗは、中間搬送ベルト１０７に対して印刷用紙Ｗの搬送方向下流側に配置された一対のローラ１０９によって第２の印刷部５に搬送される。
【００３３】
第２の印刷部５は、第１の印刷部４と同様に、図１の矢印Ａ方向に回転する第２のドラム５１と、この第２のドラム５１の外周面に設けられ、孔版原紙Ｇの先端をクランプする原紙クランプ部５２と、第２のドラム５１の下方位置に配置された第２のプレスローラ５３とを有している。更に、第２の印刷部５は、反転部１０により反転された印刷用紙Ｗを第２のドラム５１の回転に同期して第２のドラム５１と第２のプレスローラ５３間に搬送する一対の２次給紙ロール５４を有している。
【００３４】
そして、第２の印刷部５は、第１の印刷部４と同様に、第２のドラム５１の回転に同期して一対の２次給紙ロール５４より給紙される印刷用紙Ｗを第２のプレスローラ５３で第２のドラム５１に巻装された孔版原紙Ｇに押圧することによって、孔版原紙Ｇの穿孔からインクが転写されて画像が印刷用紙Ｗの裏面に印刷されるようになっている。
【００３５】
排紙部１１は、印刷された印刷用紙Ｗが搬送される排紙ベルト１１１と、排紙ベルト１１１より排紙される印刷用紙Ｗが載置される排紙台１１２とを有する。
【００３６】
図２は、本発明の実施例１に係る両面孔版印刷装置１の機能構成を示した機能構成図である。
【００３７】
図２に示すように、本発明の実施例１に係る両面孔版印刷装置１は、原稿読み取り部２と、給紙部３と、第１の印刷部４と、第２の印刷部５と、製版部６と、第１の排版部８と、第２の排版部９と、反転部１０と、排紙部１１と、ＲＡＭ１２と、ＲＯＭ１３と、操作部１５と、制御部２０とを備えている。
【００３８】
これらの構成のうち、原稿読み取り部２と、給紙部３と、第１の印刷部４と、第２の印刷部５と、製版部６と、第１の排版部８と、第２の排版部９と、反転部１０と、排紙部１１とについては、上述したので、説明を省略する。
【００３９】
ＲＡＭ１２は、揮発性半導体等で構成され、制御部２０が各種処理を実行する上で必要なデータ等を記憶する。また、ＲＡＭ１２は、その機能上、表面画像データ記憶部１２ａと、裏面画像データ記憶部１２ｂとを備えている。
【００４０】
表面画像データ記憶部１２ａは、原稿読み取り部２により印刷用紙Ｗの表面を印刷するための画像データが読み取られると、この読み取られた画像データを表面画像データとして記憶する。
【００４１】
裏面画像データ記憶部１２ｂは、原稿読み取り部２により印刷用紙Ｗの裏面を印刷するための画像データが読み取られると、この読み取られた画像データを裏面画像データとして記憶する。
【００４２】
ＲＯＭ１３は、不揮発性半導体等で構成され、制御部２０が実行する各種制御プログラム等を記憶している。
【００４３】
操作部１５は、操作キーや表示／入力パネル等を備えており、利用者によって操作キーが押下操作され、又は表示／入力パネルがタッチ操作されることによって、操作信号を生成し、生成した操作信号を制御部２０へ供給する。
【００４４】
図３は、操作部１５における操作キー及び表示／入力パネルの配置の一例を示した図である。
【００４５】
操作部１５には、モード設定した製版や印刷処理などを開始させるスタートキー１５２、動作中の製版や印刷処理などを停止させるストップキー１５３、操作部１５から設定した項目をリセットするためのリセットキー１５４、印刷枚数、天地位置の移動量などを入力するためのテンキー１５５、製版や印刷などのモードを設定するためのモード設定キー１５６、製版処理後に試し刷り印刷を行うための試し刷りキー１５８などが配置されている。
【００４６】
表示／入力パネル７０は、前面に配置された感圧式或いは静電式の透明なタッチパネル（図示しない）と、このタッチパネルの裏面に配置された液晶表示パネル（図示しない）とを備えている。利用者は液晶表示パネルの表示画面を見ながら、タッチパネルの表面を指などで直接触れることで用紙方向や長辺・短辺綴じの設定を行うことができる。例えば、長辺・短辺綴じ切り替えを行う際には、利用者は、モード設定キー１５６を押下操作し、タッチパネル下に表示された設定画面において、長辺・短辺綴じモード切り替え操作を行うことができる。
【００４７】
ここで、長辺・短辺綴じモードとは、両面印刷において、印刷用紙Ｗの長辺側を綴じるように印刷する画像データの天地を設定する長辺綴じモード、又は印刷用紙Ｗの短辺側を綴じるように印刷する画像データの天地を設定する短辺綴じモードを選択するモードである。
【００４８】
図４（ａ）は、印刷する画像データの用紙方向が縦の場合における長辺綴じモードを説明した図であり、図４（ｂ）は、印刷する画像データの用紙方向が縦の場合における短辺綴じモードを説明した図である。
【００４９】
図４（ａ）に示したように、印刷する画像データの用紙方向が縦の場合において、長辺綴じモードが選択されると、印刷用紙Ｗの表裏の画像方向が同一方向となるように印刷され、図４（ｂ）に示したように、印刷する画像データの用紙方向が縦の場合において、短辺綴じモードが選択されると、印刷用紙Ｗの表裏の画像方向が反転方向（１８０°回転した方向）となるように印刷される。
【００５０】
図５（ａ）は、印刷する画像データの用紙方向が横の場合における長辺綴じモードを説明した図であり、図５（ｂ）は、印刷する画像データの用紙方向が横の場合における短辺綴じモードを説明した図である。
【００５１】
図５（ａ）に示したように、印刷する画像データの用紙方向が横の場合において、長辺綴じモードが選択されると、印刷用紙Ｗの表裏の画像方向が反転方向（１８０°回転した方向）となるように印刷され、図５（ｂ）に示したように、印刷する画像データの用紙方向が横の場合において、短辺綴じモードが選択されると、印刷用紙Ｗの表裏の画像方向が同一方向となるように印刷される。
【００５２】
図２に示す制御部２０は、両面孔版印刷装置１の中枢的な制御を行う。また、制御部２０は、その機能上、製版処理部２０ａと、印刷処理部２０ｂと、画像反転部２０ｃとを備える。
【００５３】
製版処理部２０ａは、原稿読み取り部２により印刷用紙Ｗの表面の画像データが読み取られた場合、第１のドラム４１に対して製版処理を実行する。具体的には、製版処理部２０ａからの指示に基づいて、第１の排版部８が、使用済みの孔版原紙Ｇを第１のドラム４１より引き剥がす。そして、製版部６が、表面画像データ記憶部１２ａに記憶された表面画像データに基づいて、原紙収容部６１に収容された孔版原紙Ｇを製版し、この製版された孔版原紙Ｇを原紙カッタ６５で切断して所定長さの孔版原紙Ｇを作製する。
【００５４】
製版部６により製版された後、製版処理部２０ａからの指示に基づいて、第１の印刷部４が、孔版原紙Ｇを第１のドラム４１に巻き付けさせる。
【００５５】
また、製版処理部２０ａは、同様に、原稿読み取り部２により、印刷用紙Ｗの裏面の画像データが読み取られた場合、第２のドラム５１に対して製版処理を実行する。
【００５６】
さらに、製版処理部２０ａは、後述する画像反転部２０ｃにより裏面画像データ記憶部１２ｂに記憶された裏面画像データの天地が反転された場合、同様に、第２のドラム５１に対して製版処理を実行する。
【００５７】
印刷処理部２０ｂは、給紙部３と、第１の印刷部４と、反転部１０と、第２の印刷部５と、排紙部１１とを制御して印刷処理を実行する。具体的には、印刷処理部２０ｂからの指示に基づいて、給紙部３が、給紙台３１に積層された印刷用紙Ｗを第１の印刷部４へ搬送し、第１の印刷部４が、この搬送された印刷用紙Ｗを第１のプレスローラ４３で第１のドラム４１に押圧することによって、印刷用紙Ｗの表面に表面画像データを印刷する。そして、反転部１０により、印刷用紙Ｗの表裏が反転された後、第２の印刷部５が、この搬送された印刷用紙Ｗを第２のプレスローラ５３で第２のドラム５１に押圧することによって、印刷用紙Ｗの裏面に裏面画像データを印刷する。さらに、排紙部１１が、両面が印刷された印刷用紙Ｗを排紙台１１２へ排紙する。
【００５８】
画像反転部２０ｃは、利用者の操作に基づいて設定された印刷枚数分の印刷用紙Ｗの印刷処理が行われた後であって、利用者の操作に基づいて長辺綴じ又は短辺綴じの切り替えが要求された場合に、裏面画像データ記憶部１２ｂに記憶された裏面画像データの天地を反転させる。
【００５９】
＜両面孔版印刷装置１の作用＞
次に、本発明の実施例１である両面孔版印刷装置の作用について説明する。
【００６０】
図６は、本発明の実施例１に係る両面孔版印刷装置１の処理フローを示したフローチャートである。
【００６１】
図６に示すように、両面孔版印刷装置１の制御部２０は、利用者の操作により操作部１５から、印刷用紙Ｗの表面に印刷するための画像データの読み取りを要求する操作信号が供給されたか否かを判定する（ステップＳ１０１）。
【００６２】
ステップＳ１０１において、印刷用紙Ｗの表面に印刷するための画像データの読み取りを要求する操作信号が供給されたと判定した場合（ＹＥＳの場合）、原稿読み取り部２は、載置された原稿を表面画像データとして読み取り、表面画像データ記憶部１２ａに記憶させる（ステップＳ１０２）。
【００６３】
そして、制御部２０の製版処理部２０ａは、第１のドラム４１の製版処理を実行する（ステップＳ１０３）。具体的には、製版部６が、表面画像データ記憶部１２ａに記憶された表面画像データに基づき、孔版原紙Ｇに感熱穿孔して製版する。そして、第１の印刷部４が、製版部６から搬送される孔版原紙Ｇの先端を原紙クランプ部４２でクランプし、このクランプした状態で第１のドラム４１を回転させて孔版原紙Ｇを第１のドラム４１の外周面に巻き付け装着する。その後、孔版原紙Ｇを切断して所定の長さの孔版原紙Ｇを作製する。
【００６４】
次に、制御部２０は、利用者の操作により操作部１５から、印刷用紙Ｗの裏面に印刷するための画像データの読み取りを要求する操作信号が供給されたか否かを判定する（ステップＳ１０４）。
【００６５】
ステップＳ１０４において、印刷用紙Ｗの裏面に印刷するための画像データの読み取りを要求する操作信号が供給されたと判定した場合（ＹＥＳの場合）、原稿読み取り部２は、載置された原稿を裏面画像データとして読み取り、裏面画像データ記憶部１２ｂに記憶させる（ステップＳ１０５）。
【００６６】
そして、制御部２０の製版処理部２０ａは、第２のドラム５１の製版処理を実行する（ステップＳ１０６）。具体的には、製版部６が、製版部駆動部によりレール上を第２の印刷部５に孔版原紙Ｇを供給する位置に移動した後、裏面画像データ記憶部１２ｂに記憶された裏面画像データに基づき、孔版原紙Ｇに感熱穿孔して製版する。そして、第２の印刷部５が、製版部６から搬送される孔版原紙Ｇの先端を原紙クランプ部５２でクランプし、このクランプした状態で第２のドラム５１を回転させて孔版原紙Ｇを第２のドラム５１の外周面に巻き付け装着する。その後、孔版原紙Ｇを切断して所定の長さの孔版原紙Ｇを作製する。
【００６７】
次に、制御部２０は、利用者の操作により操作部１５から、印刷開始を要求する操作信号が供給されたか否かを判定する（ステップＳ１０７）。
【００６８】
ステップＳ１０７において、印刷開始を要求する操作信号が供給されたと判定した場合（ＹＥＳの場合）、制御部２０の印刷処理部２０ｂは、印刷処理を実行する（ステップＳ１０８）。具体的には、印刷処理部２０ｂからの指示に基づいて、給紙部３が、給紙台３１に積層された印刷用紙Ｗを第１の印刷部４へ搬送し、第１の印刷部４が、この搬送された印刷用紙Ｗを第１のプレスローラ４３で第１のドラム４１に押圧することにより、印刷用紙Ｗの表面に表面画像データを印刷する。そして、反転部１０により印刷用紙Ｗの表裏が反転された後、第２の印刷部５が、この搬送された印刷用紙Ｗを第２のプレスローラ５３で第２のドラム５１に押圧することにより、印刷用紙Ｗの裏面に裏面画像データを印刷する。さらに、排紙部１１が、両面が印刷された印刷用紙Ｗを排紙台１１２へ排紙する。
【００６９】
次に、ステップＳ１０８において、印刷処理が実行され、利用者の操作に基づいて設定された印刷枚数分の印刷用紙Ｗの印刷処理が終了すると、制御部２０は、操作部１５の表示／入力パネル７０に長辺・短辺綴じ切り替え画面を表示させる（ステップＳ１０９）。
【００７０】
図７は、表示／入力パネル７０に表示された長辺・短辺綴じ切り替え画面の一例を示した図である。
【００７１】
図７に示す長辺・短辺綴じ切り替え画面は、印刷終了後に表示／入力パネル７０に表示される画面であり、この長辺・短辺綴じ切り替え画面上には、表面のプレビュー画像を表示する表面プレビュー画像表示部１６１と、裏面のプレビュー画像を表示する裏面プレビュー画像表示部１６２と、裏面プレビュー画面表示部１６２に表示されたプレビュー画像の天地を反転させるための長辺・短辺綴じ切り替えソフトキー１６３と、印刷を実行するための実行ソフトキー１６４と、印刷の実行を取り消すための取消ソフトキー１６５とが表示されている。
【００７２】
そして、利用者により、取り消しが要求される、即ち、ステップＳ１０９において表示された長辺・短辺綴じ切り替え画面の取消ソフトキー１６５がタッチ操作されると（ステップＳ１１０）、制御部２０は、処理を終了する。
【００７３】
一方、利用者により、切り替えが要求される、即ち、ステップＳ１０９において表示された長辺・短辺綴じ切り替え画面の長辺・短辺綴じ切り替えソフトキー１６３がタッチ操作されると（ステップＳ１１１）、操作部１５は、裏面プレビュー画像表示部１６２に表示させた裏面のプレビュー画像の天地を反転、即ち１８０°回転させて表示する（ステップＳ１１２）。
【００７４】
そして、利用者により、実行が選択される、即ち、ステップＳ１０９において表示された長辺・短辺綴じ切り替え画面の実行ソフトキー１６４がタッチ操作されると（ステップＳ１１３）、制御部２０の画像反転部２０ｃは、裏面画像データ記憶部１２ｂに記憶された裏面画像データの天地を反転、即ち１８０°回転させて、この反転させた裏面画像データを裏面画像データ記憶部１２ｂに上書きする（ステップＳ１１４）。
【００７５】
次に、制御部２０の製版制御部２０ａは、ステップＳ１０６の処理と同様に、第２のドラム５１の製版処理を実行する（ステップＳ１１５）。
【００７６】
そして、制御部２０の印刷処理部２０ｂは、ステップＳ１０８の処理と同様に、印刷処理を実行する（ステップＳ１１６）。
【００７７】
以上のように、本発明の実施例１に係る両面孔版印刷装置１によれば、利用者が長辺綴じ及び短辺綴じの設定について誤操作を行った場合においても、印刷処理の終了後に、原稿の再読み取りを行うことなく、裏面画像データ記憶部１２ｂに記憶された裏面画像データの天地を反転させ、この反転させた裏面画像データに基づいて、第２のドラム５１に巻き付ける孔版原紙Ｇを再製版する。そのため、第１のドラム４１に巻き付ける孔版原紙Ｇを再製版することがないので、再製版による孔版原紙の無駄を少なくすることができる。
【００７８】
また、利用者は、再度原稿読取り部で画像を読取らせる作業を行う必要がなく、素早く再製版された孔版原紙Ｇを用いて印刷された所望の印刷用紙Ｗを得ることができる。
【００７９】
なお、本発明の実施例１では、両面印刷が選択された場合、上流側の第１のドラム４１により印刷用紙Ｗの表面を印刷し、下流側の第２のドラム５１により印刷用紙Ｗの裏面を印刷する両面孔版印刷装置を例に挙げて説明したが、これに限らず、上流側の第１のドラム４１により印刷用紙Ｗの裏面を印刷し、下流側の第２のドラム５１により印刷用紙Ｗの表面を印刷するようにしてもよい。
【００８０】
さらに、本発明の実施例１では、画像反転部２０ｃが、利用者の操作に基づいて長辺綴じ又は短辺綴じの切り替えが要求された場合に、裏面画像データ記憶部１２ｂに記憶された裏面画像データの天地を反転させ、製版処理部２０ａが、反転された裏面画像データに基づいて、製版部６に、第２のドラム５１に巻き付ける孔版原紙Ｇを再度製版させたが、本発明を実施するための構成はこれに限らない。
【００８１】
例えば、画像反転部２０ｃが、利用者の操作に基づいて長辺綴じ又は短辺綴じの切り替えが要求された場合に、表面画像データ記憶部１２ａに記憶された表面画像データの天地を反転させ、製版処理部２０ａが、反転された表面画像データに基づいて、製版部６に、第１のドラム４１に巻き付ける孔版原紙Ｇを再度製版させるようにしてもよい。
【００８２】
即ち、図６に示した本発明の実施例１に係る両面孔版印刷装置１のフローチャートのステップＳ１１１〜Ｓ１１５において、画像反転部２０ｃが、表面画像データの天地を反転させ、製版処理部２０ａが、反転された表面画像データに基づいて、製版部６に、第１のドラム４１に巻き付ける孔版原紙Ｇを再度製版させる。
【００８３】
具体的には、ステップＳ１１１において、長辺・短辺綴じ切り替え画面の長辺・短辺綴じ切り替えソフトキー１６３がタッチ操作されると、操作部１５は、表面プレビュー画像表示部１６１に表示させた表面のプレビュー画像の天地を反転、即ち１８０°回転させて表示する（ステップＳ１１２）。
【００８４】
そして、利用者により、実行が選択される、即ち、ステップＳ１０９において表示された長辺・短辺綴じ切り替え画面の実行ソフトキー１６４がタッチ操作されると（ステップＳ１１３）、制御部２０の画像反転部２０ｃは、表面画像データ記憶部１２ａに記憶された表面画像データの天地を反転、即ち１８０°回転させて、この反転させた表面画像データを表面画像データ記憶部１２ａに上書きする（ステップＳ１１４）。
【００８５】
次に、制御部２０の製版制御部２０ａは、ステップＳ１０３の処理と同様に、第１のドラム４１の製版処理を実行する（ステップＳ１１５）。
【００８６】
これにより、利用者が長辺綴じ及び短辺綴じの設定について誤操作を行った場合においても、印刷処理の終了後に、原稿の再読み取りを行うことなく、表面画像データ記憶部１２ａに記憶された表面画像データの天地を反転させ、この反転させた表面画像データに基づいて、第１のドラム４１に巻き付ける孔版原紙Ｇを再製版する。そのため、第２のドラム５１に巻き付ける孔版原紙Ｇを再製版することがないので、再製版による孔版原紙の無駄を少なくすることができる。
【実施例２】
【００８７】
本発明の実施例１では、利用者が長辺綴じ及び短辺綴じの設定について誤操作を行った場合、印刷終了後に、再度画像読み込みを行うことなく、第２のドラム５１に巻き付ける孔版原紙Ｇのみを再製版する両面孔版印刷装置１を例に挙げて説明した。
【００８８】
本発明の実施例２では、利用者が長辺綴じ及び短辺綴じの設定について誤操作を行った場合、ファーストプリント終了後に、再度画像読み込みを行うことなく、第２のドラム５１に巻き付ける孔版原紙Ｇのみを再製版する両面孔版印刷装置を例に挙げて説明する。ここで、ファーストプリントとは、製版処理の終了後に試し刷りとして印刷用紙Ｗの中から少なくとも１枚を印刷することをいう。
【００８９】
＜両面孔版印刷装置の構成＞
本発明の実施例２である両面孔版印刷装置の構成について説明する。
【００９０】
図８は、本発明の実施例２に係る両面孔版印刷装置１Ａの機能構成を示した機能構成図である。
【００９１】
図８に示すように、本発明の実施例２である両面孔版印刷装置１Ａは、原稿読み取り部２と、給紙部３と、第１の印刷部４と、第２の印刷部５と、製版部６と、第１の排版部８と、第２の排版部９と、反転部１０と、排紙部１１と、ＲＡＭ１２と、ＲＯＭ１３と、操作部１５と、制御部２０Ａとを備えている。
【００９２】
これらの構成のうち、原稿読み取り部２と、給紙部３と、第１の印刷部４と、第２の印刷部５と、製版部６と、第１の排版部８と、第２の排版部９と、反転部１０と、排紙部１１とについては、本発明の実施例１である両面孔版印刷装置１が備えるそれぞれ同一符号が付された構成と同一であるので、説明を省略する。
【００９３】
制御部２０Ａは、両面孔版印刷装置１の中枢的な制御を行う。また、制御部２０Ａは、その機能上、製版処理部２０ｅと、印刷処理部２０ｂと、画像反転部２０ｆと、ファーストプリント処理部２０ｄとを備える。
【００９４】
なお、これらの構成のうち、印刷処理部２０ｂについては、本発明の実施例１である両面孔版印刷装置１の制御部２０が備える印刷処理部２０ｂと同一であるので、説明を省略する。
【００９５】
製版処理部２０ｅは、原稿読み取り部２により印刷用紙Ｗの表面の画像データが読み取られた場合、第１のドラム４１に対して製版処理を実行する。具体的には、製版処理部２０ｅからの指示に基づいて、第１の排版部８が、使用済みの孔版原紙Ｇを第１のドラム４１より引き剥がす。そして、製版部６が、表面画像データ記憶部１２ａに記憶された表面画像データに基づいて、原紙収容部６１に収容された孔版原紙Ｇを製版する。
【００９６】
製版部６により製版された後、製版処理部２０ｅからの指示に基づいて、第１の印刷部４が、孔版原紙Ｇを第１のドラム４１に巻き付けさせる。その後、孔版原紙Ｇを原紙カッタ６５で切断して所定長さの孔版原紙Ｇを作製する。
【００９７】
また、製版処理部２０ｅは、同様に、原稿読み取り部２により、印刷用紙Ｗの裏面の画像データが読み取られた場合、第２のドラム５１に対して製版処理を実行する。
【００９８】
ファーストプリント処理部２０ｄは、製版処理部２０ｅによる製版処理実行後、給紙部３と、第１の印刷部４と、反転部１０と、第２の印刷部５と、排紙部１１と制御して、印刷用紙Ｗのうち１枚のみを試し刷りするファーストプリント処理を実行する。具体的には、ファーストプリント処理部２０ｄからの指示に基づいて、給紙部３が、給紙台３１に積層された印刷用紙Ｗのうち１枚を第１の印刷部４へ搬送し、第１の印刷部４が、この搬送された印刷用紙Ｗを第１のプレスローラ４３で第１のドラム４１に押圧することによって、印刷用紙Ｗの表面に表面画像データを印刷する。そして、反転部１０により、印刷用紙Ｗの表裏が反転された後、第２の印刷部５が、この搬送された印刷用紙Ｗを第２のプレスローラ５３で第２のドラム５１に押圧することによって、印刷用紙Ｗの裏面に裏面画像データを印刷する。さらに、排紙部１１が、両面が印刷された印刷用紙Ｗを排紙台１１２へ排紙する。
【００９９】
画像反転部２０ｆは、ファーストプリント処理部２０ｄによりファーストプリント処理実行された後であって、利用者の操作に基づいて長辺綴じ又は短辺綴じの切り替えが要求された場合に、裏面画像データ記憶部１２ｂに記憶された裏面画像データの天地を反転させる。
【０１００】
＜両面孔版印刷装置１Ａの作用＞
次に、本発明の実施例２である両面孔版印刷装置１Ａの作用について説明する。
【０１０１】
図９は、本発明の実施例２に係る両面孔版印刷装置１Ａの処理フローを示したフローチャートである。
【０１０２】
なお、図８に示した処理フローのうち、ステップＳ１０１〜Ｓ１０６、及びステップＳ１０９〜Ｓ１１５の処理は、図６に示した本発明の実施例１に係る両面孔版印刷装置１の処理フローと同一であるので、説明を省略する。
【０１０３】
ステップＳ１０６において、制御部２０Ａの製版処理部２０ｅにより、第２のドラム５１の製版処理が実行されると、制御部２０Ａのファーストプリント処理部２０ｄは、ファーストプリント処理を実行する（ステップＳ２０７）。具体的には、ファーストプリント処理部２０ｄからの指示に基づいて、給紙部３が、給紙台３１に積層された印刷用紙Ｗのうち１枚を第１の印刷部４へ搬送し、第１の印刷部４が、この搬送された印刷用紙Ｗを第１のプレスローラ４３で第１のドラム４１に押圧することによって、印刷用紙Ｗの表面に表面画像データを印刷する。そして、反転部１０により、印刷用紙Ｗの表裏が反転された後、第２の印刷部５が、この搬送された印刷用紙Ｗを第２のプレスローラ５３で第２のドラム５１に押圧することによって、印刷用紙Ｗの裏面に裏面画像データを印刷する。さらに、排紙部１１が、両面が印刷された印刷用紙Ｗを排紙台１１２へ排紙する。
【０１０４】
ステップＳ２０８では、制御部２０Ａは、利用者の操作により操作部１５から、印刷開始を要求する操作信号が供給されたか否かを判定する。
【０１０５】
ステップＳ２０８において、印刷開始を要求する操作信号が供給されたと判定した場合（ＹＥＳの場合）、制御部２０の印刷処理部２０ｂは、利用者の操作に基づいて設定された印刷枚数分の印刷用紙Ｗの印刷処理を実行する（ステップ２０９）。具体的には、印刷処理部２０ｂからの指示に基づいて、給紙部３が、給紙台３１に積層された印刷用紙Ｗを第１の印刷部４へ搬送し、第１の印刷部４が、この搬送された印刷用紙Ｗを第１のプレスローラ４３で第１のドラム４１に押圧することにより、印刷用紙Ｗの表面に表面画像データを印刷する。そして、反転部１０により印刷用紙Ｗの表裏が反転された後、第２の印刷部５が、この搬送された印刷用紙Ｗを第２のプレスローラ５３で第２のドラム５１に押圧することにより、印刷用紙Ｗの裏面に裏面画像データを印刷する。さらに、排紙部１１が、両面が印刷された印刷用紙Ｗを排紙台１１２へ排紙する。
【０１０６】
以上のように、本発明の実施例１に係る両面孔版印刷装置１Ａによれば、利用者が長辺綴じ及び短辺綴じの設定について誤操作を行った場合においても、ファーストプリント処理の実行後に、原稿の再読み取りを行うことなく、裏面画像データ記憶部１２ｂに記憶された裏面画像データの天地を反転させ、この反転させた裏面画像データに基づいて、第２のドラム５１に巻き付ける孔版原紙Ｇを再製版する。そのため、利用者は、ファーストプリント処理により印刷された印刷用紙Ｗの仕上がり具合を確認した後、印刷開始を要求する操作を行うことができるので、本発明の実施例１である両面孔版印刷装置１による効果に加え、さらに印刷用紙Ｗの無駄を防止することができるという効果を得られる。
【図面の簡単な説明】
【０１０７】
【図１】本発明の実施例１である両面孔版印刷装置の構成を示した構成図である。
【図２】本発明の実施例１に係る両面孔版印刷装置の機能構成を示した機能構成図である。
【図３】本発明の実施例１に係る両面孔版印刷装置が備える操作部における操作キー及び表示／入力パネルの配置の一例を示した図である。
【図４】（ａ）は、印刷する画像データの用紙方向が縦の場合における長辺綴じモードを説明した図であり、（ｂ）は、印刷する画像データの用紙方向が縦の場合における短辺綴じモードを説明した図である。
【図５】（ａ）は、印刷する画像データの用紙方向が横の場合における長辺綴じモードを説明した図であり、（ｂ）は、印刷する画像データの用紙方向が横の場合における短辺綴じモードを説明した図である。
【図６】本発明の実施例１に係る両面孔版印刷装置の処理フローを示したフローチャートである。
【図７】本発明の実施例１に係る両面孔版印刷装置が備える操作部の表示／入力パネルに表示された長辺・短辺綴じ切り替え画面の一例を示した図である。
【図８】本発明の実施例２に係る両面孔版印刷装置の機能構成を示した機能構成図である。
【図９】本発明の実施例２に係る両面孔版印刷装置の処理フローを示したフローチャートである。
【符号の説明】
【０１０８】
１，１Ａ…両面孔版印刷装置
２…原稿読み取り部
３…給紙部
４…第１の印刷部
５…第２の印刷部
６…製版部
８…第１の排版部
９…第２の排版部
１０…反転部
１１…排紙部
１２…ＲＡＭ
１２ａ…表面画像データ記憶部（第１の画像データ記憶手段）
１２ｂ…裏面画像データ記憶部（第２の画像データ記憶手段）
１３…ＲＯＭ
１５…操作部
２０，２０Ａ…制御部
２０ａ，２０ｅ…製版処理部
２０ｂ…印刷処理部
２０ｃ，２０ｆ…画像反転部
２０ｄ…ファーストプリント処理部
４１…第１のドラム
５１…第２のドラム
【図１】
2010110981.tif 000003
【図２】
2010110981.tif 000004
【図３】
2010110981.tif 000005
【図４】
2010110981.tif 000006
【図５】
2010110981.tif 000007
【図６】
2010110981.tif 000008
【図７】
2010110981.tif 000009
【図８】
2010110981.tif 000010
【図９】
2010110981.tif 000011